(57)【要約】【課題】背面の平坦化と大きな強度との両立を図れる表示装置等を提供する。【解決手段】表示装置１０は、前面に映像を表示する矩形の表示パネル１２の側面の辺である第１辺および第３辺と、天側の辺である第２辺とを覆う側面筐体１３と、前記表示パネル１２の後面側に該表示パネル１２の第４辺に沿って配置された後板部３２、前記後板部３２の前記第１辺側の縁および前記第３辺側の縁に沿って前記表示パネル１２側に突出し、前記側面筐体１３の内面に固定された側板部、前記後板部３２の前記第４辺側の縁に沿って前記表示パネル１２側に突出する第１底板部３３、および前記後板部３２の前記第４辺側の縁に沿って前記表示パネル１２と反対側に突出する第２底板部３４を有する放熱板３１とを備える。【選択図】図３
2018146859.tif 000002
【特許請求の範囲】
【請求項１】
前面に映像を表示する矩形の表示パネルの側面の辺である第１辺および第３辺と、天側の辺である第２辺とを覆う側面筐体と、
前記表示パネルの後面側に該表示パネルの第４辺に沿って配置された後板部、前記後板部の前記第１辺側の縁および前記第３辺側の縁に沿って前記表示パネル側に突出し、前記側面筐体の内面に固定された側板部、前記後板部の前記第４辺側の縁に沿って前記表示パネル側に突出する第１底板部、および前記後板部の前記第４辺側の縁に沿って前記表示パネルと反対側に突出する第２底板部を有する放熱板と
を備えることを特徴とする表示装置。
【請求項２】
前記第１底板部および第２底板部が固定されているスタンド金具を備えることを特徴とする請求項１に記載の表示装置。
【請求項３】
前記スタンド金具は、前記第１底板部および第２底板部に比べて前記表示パネルから遠位まで延在していることを特徴とする請求項２に記載の表示装置。
【請求項４】
前記表示パネルは、液晶表示パネルであり、前記放熱板は、前記表示パネルの後側を照明する照明部を保持する保持部を有することを特徴とする請求項１から請求項３のいずれか一つに記載の表示装置。
【請求項５】
請求項１から請求項４のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示装置およびテレビジョン受信機に関する。
【背景技術】
【０００２】
液晶表示装置は、映像を表示する液晶表示パネルと、液晶表示パネルを後側から照明するバックライトとを備える。液晶表示パネルの後側を板状の導光板で覆い、導光板の端面から照明光を入射する、エッジライト方式のバックライトが使用されている。導光板は、端面から入射した照明光を、液晶パネル側の広面から均一に放射して、液晶表示パネルを照明する。バックライトの作用により、ユーザは液晶表示パネルに表示される映像を視認することができる。
【０００３】
照明光の光源に、ＬＥＤ（Light Emitting Diode）を用いる場合がある。ＬＥＤは、導光板の端面に沿って複数個配置される。ＬＥＤは、照明光を発生すると同時に熱も発生する。ＬＥＤが発生する熱を、放熱板を介して外部に放熱する。特許文献１には、表示パネルを保持する保持機構として、放熱板を利用することが開示されている。
【先行技術文献】
【特許文献】
【０００４】
【特許文献１】国際公開第２０１５／１８６６３９号
【発明の概要】
【発明が解決しようとする課題】
【０００５】
特許文献１に開示された表示装置では、放熱板の背面側にスタンド支柱を配置した構成であるため、表示装置の背面が平坦とならず、載置した場合にデッドスペースが生じて、載置空間を有効に活用できない。
【０００６】
一つの側面では、背面の平坦化と大きな強度との両立を図れる表示装置およびテレビジョン受信機を提供することを目的とする。
【０００７】
他の一つの側面では、放熱板が強度を高める構造部材として機能して、部品数を低減できる表示装置およびテレビジョン受信機を提供することを目的とする。
【課題を解決するための手段】
【０００８】
本発明にかかる表示装置は、前面に映像を表示する矩形の表示パネルの側面の辺である第１辺および第３辺と、天側の辺である第２辺とを覆う側面筐体と、前記表示パネルの後面側に該表示パネルの第４辺に沿って配置された後板部、前記後板部の前記第１辺側の縁および前記第３辺側の縁に沿って前記表示パネル側に突出し、前記側面筐体の内面に固定された側板部、前記後板部の前記第４辺側の縁に沿って前記表示パネル側に突出する第１底板部、および前記後板部の前記第４辺側の縁に沿って前記表示パネルと反対側に突出する第２底板部を有する放熱板とを備える。
【０００９】
本発明にかかる表示装置は、前記第１底板部および第２底板部が固定されているスタンド金具を備える。
【００１０】
本発明にかかる表示装置は、前記スタンド金具が、前記第１底板部および第２底板部に比べて前記表示パネルから遠位まで延在している。
【００１１】
本発明にかかる表示装置は、前記表示パネルは、液晶表示パネルであり、前記放熱板は、前記表示パネルの後側を照明する照明部を保持する保持部を有する。
【００１２】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１３】
一つの側面では、背面の平坦化と大きな強度との両立を図れる表示装置およびテレビジョン受信機を提供することができる。
【図面の簡単な説明】
【００１４】
【図１】表示装置の外観斜視図である。
【図２】表示装置の側面図である。
【図３】表示装置の縦断面図である。
【図４】図３の部分拡大図である。
【図５】放熱板の斜視図である。
【図６】放熱板の拡大斜視図である。
【図７】側面筐体と放熱板とを組み合わせた状態を示す模式図である。
【発明を実施するための形態】
【００１５】
図１は、表示装置の外観斜視図である。以下の説明では、各図中に矢印で示す前、後、左、右、上および下のそれぞれの向きを使用する。表示装置１０は、略長方形板状の表示部１１と、表示部１１の下縁の両端部に取り付けられたスタンド金具２０，２０とを備える。表示部１１は、長方形の平板状の表示パネル１２を有する。表示パネル１２の上および左右の縁は、表示部１１の外装部材である側面筐体１３で覆われている。
【００１６】
図２は、表示装置１０の側面図である。スタンド金具２０は、表示部１１の下縁から前方および後方に延在している。すなわち、表示装置１０は、側面視で表示部１１とスタンド金具２０とが逆Ｔ字形をなしている。
【００１７】
図３は表示装置１０の縦断面図、図４は図３の部分拡大図である。図３および図４を使用して、表示装置１０の主要部の概要について説明する。表示部１１は、表示パネル１２および側面筐体１３に加えて、導光板１４、放熱板３１および後面筐体１６を有する。
【００１８】
導光板１４は、たとえば透明度が高い矩形のアクリル板である。導光板１４の広面は、表示パネル１２の広面と略同一形状である。導光板１４の表示パネル１２側の広面には、光学シートが設けられている。導光板１４の表示パネル１２とは反対側の広面には、反射シートが設けられている。
【００１９】
放熱板３１は、それぞれが略長方形板状である後板部３２、第１底板部３３、第２底板部３４および保持部３５を有する。後板部３２は、導光板１４の下部を後側から覆う。第１底板部３３は、後板部３２の下辺から前向きに突出する。第２底板部３４は、後板部３２の下辺から後向きに突出する。すなわち、後板部３２、第１底板部３３および第２底板部３４は、図３および図４に示すように略逆Ｔ字形を形成している。スタンド金具２０の前後方向の長さは、第１底板部３３および第２底板部３４の突出長さの合計よりも大きく、スタンド金具２０は、第１底板部３３および第２底板部３４に比べて、表示部１１から遠位まで延在している。
【００２０】
第１底板部３３およびスタンド金具２０は重ねられており、下側から第１ねじ６１と第２ねじ６２とにより前後方向の２箇所で固定されている。第２底板部３４およびスタンド金具２０は重ねられており、下側から第３ねじ６３と第４ねじ６４とにより前後方向の２箇所で固定されている。
【００２１】
保持部３５は、第１底板部３３の少し上側で、後板部３２から前向きに、第１底板部３３に比べて短く突出する。後板部３２、第１底板部３３、第２底板部３４および保持部３５の長辺の長さは、表示部１１の下辺の長さと略同一である。保持部３５は、第１底板部３３と平行である。すなわち、第１底板部３３、保持部３５および後板部３２は、図４に示すように略逆Ｆ字形を形成している。
【００２２】
保持部３５の上面には、導光板１４の下側の端面に対向するように照明基板１５が固定されている。照明基板１５は、導光板１４の長辺と略同一長さの長板形状の回路基板である。照明基板１５の導光板１４に対向する面には、複数の白色ＬＥＤが実装されている。
【００２３】
第１底板部３３とは別に保持部３５を設けてあるため、第１ねじ６１等で固定した部分の影響が保持部３５に伝わりにくく、保持部３５は、力を加えた場合であっても平らな状態である。よって、照明基板１５が波打つように変形することによる断線等の破損、照明基板１５と導光板１４の端面とが接触することによる傷、破損および変形を防止できる。また、変形等により照明基板１５と導光板１４との位置関係がずれた場合における輝度ムラ等による画質の低下は生じない。
【００２４】
後面筐体１６は、表示部１１の後面を覆う外装部材である。後面筐体１６は、表示パネル１２と略同一形状の長方形板状である。
【００２５】
側面筐体１３は、下側が開口する略Ｕ字形の枠体であり、内向きに突出する前側縁１３１および後側縁１３２を有する。後側縁１３２は、前側縁１３１よりも短い。前側縁１３１は表示パネル１２および導光板１４に当接する。後側縁１３２は、後面筐体１６に当接する。側面筐体１３は、図３に示されるように前側縁１３１と後側縁１３２とが一端で接続された略Ｕ字状断面の金属棒を折り曲げて製作されている。
【００２６】
後板部３２、第１底板部３３、前側筐体２１および上側筐体２６で構成された筐体部２８内には、第１基板台４１および第２基板台４６が収容されている。上側筐体２６は、外装部品である化粧板２５により覆われている。
【００２７】
第２基板台４６の上には、制御基板２４に加えて、図示しないスピーカ、入力基板および配線部材等が配置されている。入力基板は、外部からの映像信号の入力を受け付けて、所定の信号処理を行う基板である。制御基板２４は、入力基板から出力された信号を受け付けて、ドライバ制御基板１９を制御する信号を出力する基板である。第２基板台４６には、伝熱部４９が表示パネル１２の下辺の下側近傍に位置するように固定されている。伝熱部４９は、左右方向に長い長方形板の後側の長辺から斜め上後方に立ち上がる。第２基板台４６は、アルミニウム合金または銅合金等の金属板からなり、熱伝導性が高い。
【００２８】
図３に示すように、第１基板台４１は、放熱板３１の第１底板部３３の上部に固定されている。第１基板台４１の上には、表示パネル１２の下辺に沿って外向きに接続されたドライバ基板１７が載置されている。
【００２９】
ドライバ基板１７は、表示パネル１２に接続された軟性基板の一例である。ドライバ基板１７は長方形であり、一方の長辺が表示パネル１２に接続されている。ドライバ基板１７の他方の長辺には、ドライバ制御基板１９が接続されている。ドライバ制御基板１９は、表示パネル１２の長辺の約半分の長さの長辺を有する長方形の基板である。ドライバ基板１７には、例えばポリイミド製シートと金属製の配線パターンとを積層したＦＰＣ（Flexible printed circuit）を使用する。
【００３０】
ドライバ基板１７の後面には、ドライバ１８が実装されている。ドライバ１８は、表示パネル１２の表示面よりも前側に配置されている。ドライバ１８は、ドライバ制御基板１９から入力された信号に基づいて表示パネル１２の各画素を駆動する駆動信号を出力する集積回路である。ドライバ基板１７は、ドライバ１８が実装された部分の裏側で、伝熱部４９に接触する。
【００３１】
図５は、放熱板３１の斜視図であり、図６は、放熱板３１の拡大斜視図である。第１底板部３３は、第１孔７１および第１孔７１の前側に配置された第２孔７２を備える。第１孔７１および第２孔７２の内面には雌ねじが設けられている。第１孔７１には、前述した第１ねじ６１が挿入され、第２孔７２には、前述した第２ねじ６２が挿入される。
【００３２】
第２底板部３４は、第３孔７３および第３孔７３の後側に配置された第４孔７４を備える。第３孔７３および第４孔７４の内面には雌ねじが設けられている。第３孔７３には、前述した第３ねじ６３が挿入され、第４孔７４には、前述した第４ねじ６４が挿入される。
【００３３】
放熱板３１は、後板部３２の左右それぞれの短辺に沿って前方に突出する長方形板状の側板部３６を有する。側板部３６には略等間隔に５個の第５孔７５が設けられている。第５孔７５の内面には、雌ねじが設けられている。なお、第５孔７５の数は、図５に示す５個に限定しない。表示装置１０の寸法等に応じて、任意の数の第５孔７５を設けることができる。
【００３４】
後板部３２は、保持部３５の上側に接する部分に、他の部分よりも肉厚になった厚肉部３７を有する。このように後板部３２が、保持部３５の上側に接する部分に厚肉部３７を有するため、この部分では変形を生じにくい。そのため、外力による変形は、主に保持部３５と第１底板部３３との間の部分で発生し、表示部１１内の部品間の位置ずれ等は生じにくい。
【００３５】
なお、放熱板３１は、Ｔ字形断面を有するアルミニウム合金または銅合金等の高熱伝導性金属の押出成形品を切断し、端部を折り曲げて側板部３６を形成することにより製作される。
【００３６】
図７は、側面筐体１３と放熱板３１とを組み合わせた状態を示す模式図である。側面筐体１３の後側縁１３２は、側面筐体１３の下部においては除去されており、その部分に放熱板３１がはめ込まれて、長方形の枠体を形成する。側面筐体１３の下端部においては、前側縁１３１も除去されている。
【００３７】
側面筐体１３の内面と放熱板３１の側板部３６の外面とが接触する。側面筐体１３と側板部３６とは、側面筐体１３の外側から第５孔７５に挿入された皿ねじにより固定される。以上のように、側面筐体１３と放熱板３１とが面で接触した状態で固定されることにより、外力を受けても歪みにくい、構造部材の枠体が構成される。
【００３８】
以下、表示装置１０の動作の概要を説明する。照明基板１５に搭載された白色ＬＥＤからの出射光は、導光板１４の下面に入射する。入射した光は、導光板１４の作用により、平面光になって導光板１４の前側の広面から放射される。放射された平面光は、表示パネル１２の背面から前側に透過する。すなわち導光板１４と照明基板１５とは、表示パネル１２を背面から照明するバックライトを構成している。
【００３９】
照明基板１５は、表示パネル１２の後側を照明する本実施の形態の照明部の一例である。照明基板１５には、白色ＬＥＤの代わりに有機ＥＬ（ElectroLuminescence）素子等の発光体が実装されていても良い。照明部は、冷陰極管等の発光体であっても良い。
【００４０】
なお、導光板１４と照明基板１５とを組み合わせた、エッジライト方式のバックライトの代わりに、表示パネル１２の後側に多数の白色ＬＥＤと拡散シート等を配置したいわゆる直下型のバックライトを使用しても良い。
【００４１】
入力基板から入力された映像信号に基づいて、制御基板２４がドライバ制御基板１９を制御する信号を接続する。ドライバ制御基板１９の制御に基づいて、ドライバ１８が表示パネル１２を構成する各画素を制御する。これにより、表示パネル１２を構成する各画素がバックライトから放射された光を透過および遮蔽する。バックライトの作用により、ユーザは表示パネル１２に表示される映像を視認することができる。
【００４２】
なお、入力基板および制御基板２４の機能の一部または全部を、表示装置１０の外部に設けた機器が実行しても良い。
【００４３】
表示装置１０の放熱について説明する。表示装置１０を構成する部品のうち、照明基板１５およびドライバ１８は特に発熱量が多い部品である。照明基板１５から発生した熱は、放熱板３１を介して、後面筐体１６、側面筐体１３および上面筐体２６を経て周囲の床、壁、空中等に拡散する。また、ドライバ１８から発生した熱は、ドライバ基板１７を介して伝熱部４９に伝達され、伝達された熱は、放熱板３１を介して、後面筐体１６、側面筐体１３および上面筐体２６を経て周囲の床、壁、空中等に拡散する。
【００４４】
本実施の形態によると、表示パネル１２の前方に突出した第１底板部３３と表示パネル１２の後方に突出した第２底板部３４とを有する逆Ｔ字形の放熱板３１を備えて、第１底板部３３および第２底板部３４をスタンド金具２０にねじ留めにて固定する構造としたので、表示部１１の後面を完全に平坦にできると共に、高い強度を維持することができる。よって、デッドスペースを発生させず、部屋の空間を有効に活用できる表示装置１０を提供することができる。
【００４５】
本実施の形態によると、スタンド金具２０，２０間の空間をユーザが自由に使うことができる。
【００４６】
本実施の形態によると、側面筐体１３と放熱板３１とが面で接触した状態で固定された歪みにくい枠体が構成されるため、外力を受けた場合であっても表示パネル１２、導光板１４および後面筐体１６等の薄い部材が変形または破壊することを防ぐことができる。また、放熱板３１が構造部材を兼ねることにより、少ない部品数で表示装置１０を構成することができる。
【００４７】
本実施の形態によると、スタンド金具２０に固定される第１底板部３３および第２底板部３４とは別に保持部３５を設けてあるため、外力を受けた場合であっても照明基板１５の波打つような変形による破損および画質の低下が生じにくい表示装置１０を提供することができる。
【００４８】
本実施の形態によると、照明基板１５およびドライバ１８が発生する熱を効率良く放熱できる表示装置１０を提供することができる。これにより、熱による各部品の損傷、劣化、誤作動等を防止することができる。
【００４９】
表示装置１０をテレビジョン受信機として使用する場合には、入力基板にテレビジョン放送のアンテナを接続するアンテナ端子およびテレビジョン放送の電波を受信するチューナ回路を備えたテレビジョン受信部を搭載する。テレビジョン受信部が受信した放送信号に所定の処理を行い、映像信号と音声信号とに分離する。映像信号に基づき表示パネル１２に映像を表示する。音声信号はスピーカから出力する。
【００５０】
このように、表示装置１０をテレビジョン受信機として使用することにより、上述したような効果を奏するテレビジョン受信機を提供することができる。
【００５１】
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００５２】
本発明にかかる表示装置１０は、前面に映像を表示する矩形の表示パネル１２の側面の辺である第１辺および第３辺と、天側の辺である第２辺とを覆う側面筐体１３と、前記表示パネル１２の後面側に該表示パネル１２の第４辺に沿って配置された後板部３２、前記後板部３２の前記第１辺側の縁および前記第３辺側の縁に沿って前記表示パネル１２側に突出し、前記側面筐体１３の内面に固定された側板部３６、前記後板部３２の前記第４辺側の縁に沿って前記表示パネル１２側に突出する第１底板部３３、および前記後板部３２の前記第４辺側の縁に沿って前記表示パネル１２と反対側に突出する第２底板部３４を有する放熱板３１とを備える。
【００５３】
本発明にあっては、表示パネル１２の背面の平坦化と高い強度とを両立して実現することができる。また、側面筐体１３と放熱板３１とが面で接触した状態で固定された歪みにくい枠体が構成されるため、外力を受けた場合であっても表示パネル１２、導光板１４および後面筐体１６等の薄い部材が変形または破壊することを防ぐことができる。また、放熱板３１が構造部材を兼ねることにより、少ない部品数で表示装置１０を構成することができる。
【００５４】
本発明にかかる表示装置１０は、前記第１底板部３３および第２底板部３４が固定されているスタンド金具２０を備える。
【００５５】
本発明にあっては、スタンド金具２０を用いることにより、安定した自立を実現できる。また、スタンド金具２０，２０間の空間を自由に使うことができる。
【００５６】
本発明にかかる表示装置１０は、前記スタンド金具２０は、前記第１底板部３３および第２底板部３４に比べて前記表示パネル１２から遠位まで延在している。
【００５７】
本発明にあっては、より安定した自立を実現できる。
【００５８】
本発明にかかる表示装置１０は、前記表示パネル１２は、液晶表示パネルであり、前記放熱板３１は、前記表示パネル１２の後側を照明する照明部１５を保持する保持部３５を有する。
【００５９】
本発明にあっては、透過型液晶表示パネルを備える表示装置１０を提供することができる。
【００６０】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてある。
【００６１】
本発明にあっては、外力を受けた場合であっても表示パネル１２、導光板１４および後面筐体１６等の薄い部材が変形または破壊することを防ぐことが可能なテレビジョン受信機を提供することができる。
【符号の説明】
【００６２】
１０  表示装置
１１  表示部
１２  表示パネル
１３  側面筐体
１３１  前側縁
１３２  後側縁
１４  導光板
１５  照明基板（照明部）
１６  後面筐体
１７  ドライバ基板
１８  ドライバ
１９  ドライバ制御基板
２０  スタンド金具
２１  前側筐体
２４  制御基板
２５  化粧板
２６  上側筐体
２８  筐体部
３１  放熱板
３２  後板部
３３  第１底板部
３４  第２底板部
３５  保持部
３６  側板部
３７  厚肉部
４１  第１基板台
４６  第２基板台
４９  伝熱部
６１  第１ねじ
６２  第２ねじ
６３  第３ねじ
６４  第４ねじ
７１  第１孔
７２  第２孔
７３  第３孔
７４  第４孔
７５  第５孔
【図１】
2018146859.tif 000003
【図２】
2018146859.tif 000004
【図３】
2018146859.tif 000005
【図４】
2018146859.tif 000006
【図５】
2018146859.tif 000007
【図６】
2018146859.tif 000008
【図７】
2018146859.tif 000009
【手続補正書】
【提出日】平成30年6月1日(2018.6.1)
【手続補正１】
【補正対象書類名】明細書
【補正対象項目名】０００８
【補正方法】変更
【補正の内容】
【０００８】
本発明にかかる表示装置は、前面に映像を表示する矩形の表示パネルの側面の辺である第１辺および第３辺と、天側の辺である第２辺とを覆う側面筐体と、前記表示パネルの後面側に該表示パネルの第４辺に沿って配置された後板部、前記後板部の前記第１辺側の縁および前記第３辺側の縁に沿って前記表示パネル側に突出し、前記側面筐体の内面に固定された側板部、前記後板部の前記第４辺側の縁に沿って前記表示パネル側に突出する第１底板部、前記後板部の前記第４辺側の縁に沿って前記表示パネルと反対側に突出する第２底板部、ならびに、前記後板部の前記第４辺側の縁に沿って前記表示パネル側に突出し、前記表示パネルの後側を照明する照明部を保持する保持部を有する放熱板とを備える。
【手続補正２】
【補正対象書類名】明細書
【補正対象項目名】００１１
【補正方法】変更
【補正の内容】
【００１１】
本発明にかかる表示装置は、前記表示パネルは、液晶表示パネルである。
【手続補正３】
【補正対象書類名】特許請求の範囲
【補正対象項目名】全文
【補正方法】変更
【補正の内容】
【特許請求の範囲】
【請求項１】
前面に映像を表示する矩形の表示パネルの側面の辺である第１辺および第３辺と、天側の辺である第２辺とを覆う側面筐体と、
前記表示パネルの後面側に該表示パネルの第４辺に沿って配置された後板部、前記後板部の前記第１辺側の縁および前記第３辺側の縁に沿って前記表示パネル側に突出し、前記側面筐体の内面に固定された側板部、前記後板部の前記第４辺側の縁に沿って前記表示パネル側に突出する第１底板部、前記後板部の前記第４辺側の縁に沿って前記表示パネルと反対側に突出する第２底板部、ならびに、前記後板部の前記第４辺側の縁に沿って前記表示パネル側に突出し、前記表示パネルの後側を照明する照明部を保持する保持部を有する放熱板と
を備えることを特徴とする表示装置。
【請求項２】
前記第１底板部および第２底板部が固定されているスタンド金具を備えることを特徴とする請求項１に記載の表示装置。
【請求項３】
前記スタンド金具は、前記第１底板部および第２底板部に比べて前記表示パネルから遠位まで延在していることを特徴とする請求項２に記載の表示装置。
【請求項４】
前記表示パネルは、液晶表示パネルであることを特徴とする請求項１から請求項３のいずれか一つに記載の表示装置。
【請求項５】
請求項１から請求項４のいずれか一つに記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。